(57)【要約】【課題】検出した主要被写体の位置を、観察光学系による観察像に重ねて知らせるカメラを提供する。【解決手段】カメラ１は、撮影光学系ＬＳの焦点調節情報を取得する焦点調節情報取得手段１６、１０１（図３）と、焦点調節情報取得手段１６、１０１（図３）が焦点調節情報の取得に用いた領域を示す表示を、観察光学系ＬＳによる観察像に重ねて行う表示手段６と、被写体像を取得するイメージセンサ１１と、イメージセンサ１１で取得された画像データに基づいて被写体像における主要被写体を検出する被写体検出手段１０１（図３）と、被写体検出手段１０１（図３）によって検出された主要被写体の位置を示す表示を観察像に重ねて行うように表示手段６を制御する制御手段１１０（図３）とを備える。【選択図】図１
2010054921.tif 000002
【特許請求の範囲】
【請求項１】
撮影光学系の焦点調節情報を取得する焦点調節情報取得手段と、
前記焦点調節情報取得手段が前記焦点調節情報の取得に用いた領域を示す表示を、観察光学系による観察像に重ねて行う表示手段と、
被写体像を取得するイメージセンサと、
前記イメージセンサで取得された画像データに基づいて前記被写体像における主要被写体を検出する被写体検出手段と、
前記被写体検出手段によって検出された主要被写体の位置を示す表示を前記観察像に重ねて行うように前記表示手段を制御する制御手段とを備えることを特徴とするカメラ。
【請求項２】
請求項１に記載のカメラにおいて、
前記焦点調節情報取得手段が前記焦点調節情報を取得するポイントを撮影画面内に複数備え、
前記表示手段は、前記複数のポイントに対応させて複数の表示素子を備え、
前記制御手段は、前記表示手段の複数の表示素子のうち前記被写体検出手段によって検出された主要被写体に対応する表示素子を用いて前記表示をさせることを特徴とするカメラ。
【請求項３】
請求項１に記載のカメラにおいて、
前記制御手段は、前記被写体検出手段によって複数の主要被写体が検出されている場合、前記焦点調節情報取得手段で取得された焦点調節情報に基づいて、至近の主要被写体の位置を示す表示と、他の主要被写体の位置を示す表示との表示態様を異ならせるように前記表示手段を制御することを特徴とするカメラ。
【請求項４】
請求項１に記載のカメラにおいて、
前記被写体検出手段は、前記画像データに基づいて前記被写体像における人物の顔を検出し、
前記被写体検出手段によって人物の顔が検出されたことを知らせる報知手段をさらに備えることを特徴とするカメラ。
【請求項５】
請求項４に記載のカメラにおいて、
前記報知手段は、前記被写体検出手段によって検出された人物の顔の位置が、前記焦点調節情報取得手段で前記焦点調節情報を取得する領域と合致する場合と合致しない場合とで報知態様を異ならせることを特徴とするカメラ。
【請求項６】
請求項４または５に記載のカメラにおいて、
前記表示手段は前記報知手段を兼ね、前記人物の顔が検出されたことを知らせる表示を前記観察光学系による観察像に重ねて行うことを特徴とするカメラ。
【請求項７】
請求項１に記載のカメラにおいて、
前記制御手段は、前記被写体検出手段によって検出された主要被写体の位置を示す表示を所定時間後に終了するように前記表示手段を制御することを特徴とするカメラ。
【請求項８】
請求項１に記載のカメラにおいて、
前記制御手段は、前記被写体検出手段によって検出された主要被写体の位置を示す表示の輝度を徐々に下げるように前記表示手段を制御することを特徴とするカメラ。
【請求項９】
請求項１〜８のいずれか一項に記載のカメラにおいて、
前記イメージセンサは、記録用の撮像手段と別に設けられていることを特徴とするカメラ。
【発明の詳細な説明】
【技術分野】
【０００１】
本発明は、光学ファインダを備えるカメラに関する。
【背景技術】
【０００２】
撮像されたスルー画像を表示する表示装置に、検出した被写体を示す表示を行う技術が知られている（特許文献１参照）。従来技術では、スルー画像に含まれる被写体の顔を検出し、検出した顔を示す枠がスルー画像（被写体像）に重ねて表示される。
【０００３】
【特許文献１】特開２００７−３０６４１６号公報
【発明の開示】
【発明が解決しようとする課題】
【０００４】
上記技術は表示装置に表示された被写体像を観察する場合のものであり、光学ファインダを通して被写体像を観察する場合には適用できないという問題があった。
【課題を解決するための手段】
【０００５】
（１）本発明によるカメラは、撮影光学系の焦点調節情報を取得する焦点調節情報取得手段と、焦点調節情報取得手段が焦点調節情報の取得に用いた領域を示す表示を、観察光学系による観察像に重ねて行う表示手段と、被写体像を取得するイメージセンサと、イメージセンサで取得された画像データに基づいて被写体像における主要被写体を検出する被写体検出手段と、被写体検出手段によって検出された主要被写体の位置を示す表示を観察像に重ねて行うように表示手段を制御する制御手段とを備えることを特徴とする。
（２）請求項１に記載のカメラにおいて、焦点調節情報取得手段が焦点調節情報を取得するポイントを撮影画面内に複数備えてよく、表示手段は、複数のポイントに対応させて複数の表示素子を備えてもよい。この場合の制御手段は、表示手段の複数の表示素子のうち被写体検出手段によって検出された主要被写体に対応する表示素子を用いて表示をさせることもできる。
（３）請求項１に記載のカメラにおいて、制御手段は、被写体検出手段によって複数の主要被写体が検出されている場合、焦点調節情報取得手段で取得された焦点調節情報に基づいて、至近の主要被写体の位置を示す表示と、他の主要被写体の位置を示す表示との表示態様を異ならせるように表示手段を制御することもできる。
（４）請求項１に記載のカメラにおいて、被写体検出手段は、画像データに基づいて被写体像における人物の顔を検出してもよく、被写体検出手段によって人物の顔が検出されたことを知らせる報知手段をさらに備えてもよい。
（５）請求項４に記載のカメラにおいて、報知手段は、被写体検出手段によって検出された人物の顔の位置が、焦点調節情報取得手段で焦点調節情報を取得する領域と合致する場合と合致しない場合とで報知態様を異ならせることもできる。
（６）請求項４または５に記載のカメラにおいて、表示手段は報知手段を兼ね、人物の顔が検出されたことを知らせる表示を観察光学系による観察像に重ねて行うこともできる。
（７）請求項１に記載のカメラにおいて、制御手段は、被写体検出手段によって検出された主要被写体の位置を示す表示を所定時間後に終了するように表示手段を制御することもできる。
（８）請求項１に記載のカメラにおいて、制御手段は、被写体検出手段によって検出された主要被写体の位置を示す表示の輝度を徐々に下げるように表示手段を制御することもできる。
（９）請求項１〜８のいずれか一項に記載のカメラにおいて、イメージセンサは、記録用の撮像手段と別に設けられていてもよい。
【発明の効果】
【０００６】
本発明によるカメラでは、検出した主要被写体の位置を、観察光学系による観察像に重ねて知らせることができる。
【発明を実施するための最良の形態】
【０００７】
以下、図面を参照して本発明を実施するための最良の形態について説明する。図１は、本発明の一実施の形態による一眼レフ電子カメラシステムの構成を説明する図である。図１において、カメラ本体１のレンズマウント（不図示）に対し、着脱可能に構成される撮影レンズの鏡筒２が装着されている。
【０００８】
被写体からの光Ｌは、鏡筒２のレンズ光学系ＬＳおよび絞り３を介してカメラ本体１へ入射される。カメラ本体１に入射した被写体光は、レリーズ操作前はクイックリターンミラー（以下メインミラーと呼ぶ）４によって上方のファインダー部へ導かれてフォーカシングスクリーン５に結像する。また、カメラ本体１に入射した被写体光の一部はサブミラー１５で下方へ反射され、焦点検出用センサ１６へ導かれる。焦点検出用センサ１６は、後述する位相差検出方式の焦点検出時に用いられる。
【０００９】
レンズ駆動装置１７は、モータ、連結ギヤおよびカップリングなどで構成され、レンズ光学系ＬＳに含まれるフォーカスレンズを合焦位置へ移動させるための駆動力を発生し、鏡筒２側へ伝達する。合焦位置へフォーカスレンズを移動させる場合の移動方向および移動量は、後述する焦点検出結果に基づいて決定される。
【００１０】
フォーカシングスクリーン５に結像した被写体光はさらに、ＰＮ液晶６を介してペンタプリズム７へ入射される。ＰＮ液晶６はポリマーネットワーク液晶によって構成され、通電されると光を透過し、非通電にされると光を拡散する。カメラ本体１は、後述する焦点検出を行う領域（フォーカスポイントと呼ぶ）を示す表示をＰＮ液晶６によって行う。ＰＮ液晶６による表示内容は、ファインダー部による光学的な観察像に重ねて、接眼レンズ群８を通して観察される。
【００１１】
ペンタプリズム７は入射された被写体光を接眼レンズ群８へ導く一方、その一部をプリズム９へも導く。プリズム９へ入射された光は、結像レンズ１０を介してサブイメージセンサ１１へ入射される。サブイメージセンサ１１は、たとえばＱＶＧＡサイズ（３２０×２４０ドット）の画素を有し、ファインダー部による観察像と略等しい範囲の被写体像を撮像する。サブイメージセンサ１１は、被写体像の明るさに応じた光電変換信号を出力する。
【００１２】
レリーズ操作後はメインミラー４が上方へ回動し（ミラーアップ）、被写体光Ｌはシャッター１８を介して撮像素子２０へ導かれ、その撮像面上に被写体像を結像する。撮像素子２０は、画素に対応する複数の光電変換素子を備えたＣＣＤイメージセンサなどによって構成される。撮像素子２０は、撮像面上に結像されている被写体像を撮像し、被写体像の明るさに応じた光電変換信号を出力する。
【００１３】
ファインダー内液晶１３は、撮影に関する露出制御値などの情報を表示する。プリズム１２がファインダー内液晶１３の前（図１において左方）に配設されることにより、ファインダー内液晶１３による表示内容が、接眼レンズ群８を通してファインダー部による光学像と別に観察される。ファインダー内バックライト１４は、ファインダー内液晶１３を照明する。
【００１４】
デジタル基板２２には、後述するＭＰＵ、タイミング回路、Ａ／Ｄ変換回路およびＡＳＩＣなどの回路が実装される。液晶表示部２３はカメラ本体１の背面（図１において右側）に配設される。液晶表示部２３は、撮影画像やメニュー画面などを表示する。
【００１５】
＜位相差検出ＡＦ＞
位相差検出方式の焦点検出について説明する。後述するＭＰＵは、メインミラー４がダウン時（図１に示す位置）に位相差検出方式によるＡＦ（オートフォーカス）演算を行う。具体的には、レンズ光学系ＬＳの異なる領域を介して入射された一対のデフォーカス量検出用光束による像であって、焦点検出用センサ１６上の異なる位置でそれぞれ撮像される２つの像の相対位置ずれ量（相対間隔）を求める。
【００１６】
これら一対の被写体像は、レンズ光学系ＬＳが予定焦点面よりも前に被写体の鮮鋭像を結ぶいわゆる前ピン状態では互いに近づき、逆に予定焦点面より後ろに被写体の鮮鋭像を結ぶいわゆる後ピン状態では互いに遠ざかる。予定焦点面において被写体の鮮鋭像を結ぶ合焦状態には、焦点検出用センサ１６上の一対の被写体像が相対的に一致する。したがって、一対の被写体像の相対位置ずれ量を求めることにより、レンズ光学系ＬＳのフォーカス調節状態、すなわちデフォーカス量が得られる。レンズ光学系ＬＳのフォーカスレンズをデフォーカス量に応じて光軸方向（図１において左右方向）に移動させることにより、レンズ光学系ＬＳのフォーカス調節が行われる。
【００１７】
＜観察像＞
図２は、接眼レンズ群８から観察される観察像を例示する図である。図２において、光学像２０３に重ねて、マーク群２０２がＰＮ液晶６によってスーパーインポーズ表示される。マーク群２０２は、所定数（本例の場合は５１個）のマークによって構成される。個々のマーク位置は、上述したフォーカスポイントに対応する。すなわち、カメラ本体１は５１個のフォーカスポイントごとに焦点検出が可能に構成されている。なお、図２は説明のために被写体像の図示を省略し、かつＰＮ液晶６によってマーク群２０２を全点灯させたものである。
【００１８】
光学像２０３の下部には、露出制御値などの表示２０１がファインダー内液晶１３によって行われる。
【００１９】
図３は、カメラ本体１の回路構成を説明するブロックである。図３において、ＭＰＵ１０１は、カメラ本体１の各ブロックに対する制御を行う。タイミング回路１０４は、所定のタイミング信号を発生する。撮像素子１０２は図１の符号２０に対応する。撮像素子１０２は、タイミング回路１０４から供給されるタイミング信号によって駆動され、光電変換信号を出力する。
【００２０】
Ａ／Ｄ変換回路１０３は、タイミング回路１０４から供給されるタイミング信号によって駆動され、撮像素子１０２から出力された光電変換信号をデジタル画像データに変換する。画像処理制御回路１０５は、デジタル変換された画像データに対して所定の画像処理（ホワイトバランス調整、シャープネス調整、ガンマ補正、階調調整、色補間など）を行う。
【００２１】
ＳＤＲＡＭ１０６は、画像データを一時的に格納するメモリである。画像用記録媒体１０７は、不図示のメモリインタフェースを介して画像処理制御回路１０５（カメラ本体１）に対して着脱自在に構成される。画像処理制御回路１０５は、メモリインタフェースを介して撮像データおよび画像データをまとめたExif形式の画像ファイルを画像用記録媒体１０７に記録する。
【００２２】
背面液晶制御回路１０８は、液晶表示部２３（図１）の表示制御を行う。ファインダー内表示制御回路１０９は、ファインダー内液晶１３（図１）の表示制御およびファインダー内バックライト１４（図１）の点灯制御を行う。
【００２３】
スーパーインポーズ表示制御回路１１０は、ＰＮ液晶６（図１）の表示制御を行う。サブイメージセンサ回路１１１は、たとえばＡＳＩＣによって構成される。サブイメージセンサ回路１１１は、サブイメージセンサ１１から出力された光電変換信号をデジタル画像データに変換し、変換後の画像データに基づいて測光情報を算出する。サブイメージセンサ回路１１１はさらに、デジタル変換後の画像データに基づいて顔検出処理を行うことにより、画像内に含まれる人物の「顔」を検出する。顔検出処理は、公知の技術であるため説明を省略する。
【００２４】
露出制御回路１１２は、上記測光情報に基づいて求めた被写体の輝度情報を用いてシャッタースピードおよび絞り値を演算する。演算結果は、シャッター制御部１１３および絞り制御部１１４へ送られる。シャッター制御部１１３は、シャッター１８（図１）を開閉制御する。絞り制御部１１４は、絞り３（図１）の駆動制御を行う。
【００２５】
レンズ情報入力回路１１５は、開放絞り値  焦点距離、射出瞳などを示す情報を鏡筒２（図１）から取得する。焦点検出回路１１６は、焦点検出用センサ１６による検出信号をデジタルデータに変換してＭＰＵ１０１へ送出する。レンズ駆動回路１１７は、ＭＰＵ１０１から送出されるフォーカスレンズ駆動指示に基づいてレンズ駆動装置１７を制御する。
【００２６】
設定操作部材１１９は、設定操作に応じた操作信号を発してＭＰＵ１０１へ送出する。モード設定回路１１８は、ＭＰＵ１０１からの指示に応じて露出モード、フォーカスエリアモードなどの動作モードを切り替え設定したり、カメラ本体１に対する設定操作を受け付けるためのメニューモードを起動したりする。
【００２７】
半押しスイッチＳＷ１および全押しスイッチＳＷ２は、レリーズボタン（不図示）の押下操作に連動して、それぞれがオン信号をＭＰＵ１０１へ出力する。半押しスイッチＳＷ１からの半押しオン信号は、レリーズボタンが通常ストロークの半分程度まで押し下げ操作されると出力され、半ストロークの押し下げ操作解除で出力が解除される。全押しスイッチＳＷ２からの全押しオン信号は、レリーズボタンが通常ストロークまで押し下げ操作されると出力され、通常ストロークの押し下げ操作が解除されると出力が解除される。
【００２８】
＜フォーカスエリアモード＞
カメラ本体１は、フォーカスエリアモードとしてシングルポイントＡＦモードと、ダイナミックＡＦモードと、オートエリアＡＦモードとを有する。シングルポイントＡＦモードは、５１個のフォーカスポイントの中から指示された１つのフォーカスポイントのみを用いて焦点検出を行うモードである。フォーカスポイントの選択は、ユーザによる設定操作部材１１９の操作によって行われる。
【００２９】
ダイナミックＡＦモードは、５１個のフォーカスポイントのうち所定数（たとえば９点）のフォーカスポイント群（ＡＦエリアと呼ぶ）を用いて焦点検出を行うモードである。焦点検出を行ったフォーカスポイントからピント合わせの対象となる主要被写体が外れた場合に、ＡＦエリアに含まれる他のフォーカスポイントを用いて該主要被写体を対象に焦点検出を行うモードである。ＡＦエリアの選択は、ユーザによる設定操作部材１１９の操作によって行われる。
【００３０】
オートエリアＡＦモードは、５１個のフォーカスポイントが存在する領域から主要被写体を自動的に判別し、該主要被写体を含むフォーカスポイントを用いて焦点検出を行うモードである。焦点検出を行うためのフォーカスポイントは、ユーザによる操作でなくＭＰＵ１０１が決定する。
【００３１】
上述したＰＮ液晶６は、シングルポイントＡＦモードにおいて、５１個のフォーカスポイントの中から指示された１つのフォーカスポイントのみを示すように点灯制御される。また、ＰＮ液晶６は、ダイナミックＡＦモードにおいて、所定数（たとえば９点）のフォーカスポイント群のうち焦点検出を行ったフォーカスポイントのみを示すように点灯制御される。
【００３２】
本実施形態は、オートエリアＡＦモードにおいてＰＮ液晶６およびファインダー内液晶１３を用いて行う表示に特徴を有するので、以下、これらの表示制御を中心に説明する。
【００３３】
＜フォーカスエリアモード選択＞
ＭＰＵ１０１は、設定操作部材１１９を構成するメニュースイッチ（不図示）が操作されると、背面液晶制御回路１０８へ指示を送り、液晶表示部２３（図１）にメニュー画面を表示させる。図４は、メニュー画面の一例を表示する図であり、フォーカスエリアモードを選択するためのメニュー画面である。
【００３４】
背面液晶制御回路１０８は、設定操作部材１１９を構成する十字スイッチ（不図示）が上下方向に操作されると、いずれかのフォーカスエリアモードを選択するカーソル４０１を操作信号に応じて上下に移動させる。背面液晶制御回路１０８は、設定操作部材１１９を構成する十字スイッチ（不図示）が右方向に操作されると、その時点で選択しているフォーカスエリアモード（図４の例ではオートエリアＡＦモード）に設定する。
【００３５】
＜撮影処理＞  
オートエリアＡＦモードに設定されたＭＰＵ１０１が行う撮影処理の流れについて、図５に例示するフローチャートを参照して説明する。図５による処理は、ＭＰＵ１０１に電源が供給されている場合に繰り返し行われる。図５のステップＳ１において、ＭＰＵ１０１は、半押しスイッチＳＷ１がオンされたか否かを判定する。ＭＰＵ１０１は、半押しスイッチＳＷ１からオン操作信号が入力された場合にステップＳ１を肯定判定してステップＳ２へ進む。ＭＰＵ１０１は、半押しスイッチＳＷ１からオン操作信号が入力されない場合には、ステップＳ１を否定判定して該判定処理を繰り返す。
【００３６】
ステップＳ２において、ＭＰＵ１０１は、オートエリアＡＦモードが選択されているか否かを判定する。ＭＰＵ１０１は、上記メニュー操作によってオートエリアＡＦモードが設定されている場合にステップＳ２を肯定判定してステップＳ３へ進む。ＭＰＵ１０１は、オートエリアＡＦモードが設定されていない場合には、ステップＳ２を否定判定してステップＳ１４へ進む。
【００３７】
ステップＳ１４において、ＭＰＵ１０１は、シングルポイントＡＦモードまたはダイナミックＡＦモードにおける焦点検出処理をそれぞれ行うために、他モードの撮影処理へ進む。
【００３８】
ステップＳ３において、ＭＰＵ１０１は、顔検出したか否かを判定する。ＭＰＵ１０１はサブイメージセンサ回路１１１に指示を送り、サブイメージセンサ１１で取得された画像データに基づいて顔検出処理を行わせる。ＭＰＵ１０１は、サブイメージセンサ回路１１１によって画像内に含まれる人物の「顔」が検出された場合、ステップＳ３を肯定判定してステップＳ４へ進む。ＭＰＵ１０１は、サブイメージセンサ回路１１１によって画像内に含まれる人物の「顔」が検出されない場合には、ステップＳ３を否定判定してステップＳ５へ進む。
【００３９】
ステップＳ４において、ＭＰＵ１０１は、顔表示と測距処理と測光処理とを行ってステップＳ６へ進む。顔表示は、ファインダー内表示制御回路１０９およびスーパーインポーズ表示制御回路１１０を以下のように制御して行う。ＭＰＵ１０１はファインダー内表示制御回路１０９へ指示を送り、露出制御値などの表示２０１に加えて、「顔」を検出したことを示す顔マーク６１（図６）を点灯または点滅するようにファインダー内液晶１３（図１）を制御させる。ファインダー内バックライト１４（図１）を所定時間点灯させることにより、ユーザが表示２０１（顔マークを含む）を所定時間観察できるようにする。
【００４０】
＜人物の顔がエリアフレーム内で検出された場合＞
ＭＰＵ１０１はさらに、スーパーインポーズ表示制御回路１１０へ指示を送り、サブイメージセンサ回路１１１によって検出された人物の「顔」と重なるマーク群６２のみを点灯するようにＰＮ液晶６（図１）を制御させる。
【００４１】
図６は、顔表示処理時に接眼レンズ群８から観察される観察像を例示する図である。図６において、光学像２０３はエリアフレーム６３の内側に被写体人物を含んでいる。エリアフレーム６３は、マーク群２０２（すなわち、５１個のフォーカスポイント）が配設されている範囲を示すもので、フォーカシングスクリーン５（図１）に形成されている。スーパーインポーズ表示制御回路１１０は、ＰＮ液晶６（図１）のマーク群６２を点灯させて、人物の「顔」に重なるようにスーパーインポーズ表示させる。光学像２０３の下部には、「顔」を検出したことを知らせるため、点灯した顔マーク６１を含む表示２０１がファインダー内液晶１３によって行われる。
【００４２】
測距処理は、上述した位相差検出方式のフォーカス調節である。ＭＰＵ１０１は、上記マーク群６２に対応する一対のデフォーカス量検出用光束を用いてフォーカス調節を行う。
【００４３】
測光処理は、サブイメージセンサ回路１１１によって算出された被写体の輝度情報を用いて露出制御回路１１２がシャッタースピードおよび絞り値を演算するものである。ファインダー内表示制御回路１０９は、測光処理演算の結果を表示２０１による表示内容に反映させる。
【００４４】
＜人物の顔がエリアフレーム外で検出された場合＞
ＭＰＵ１０１は、スーパーインポーズ表示制御回路１１０へ指示を送り、判別した主要被写体と重なるマーク群７１のみを点灯するようにＰＮ液晶６（図１）を制御させる。図７は、この場合に接眼レンズ群８から観察される観察像を例示する図である。図７において、光学像２０３は、エリアフレーム６３の外側に被写体人物を含んでいる。この場合のＭＰＵ１０１は、測距処理において取得するデフォーカス量を用いて被写体判別を行う。すなわち、上記５１個のフォーカスポイントのそれぞれに対応する一対のデフォーカス量検出用光束を用いてデフォーカス量を検出し、検出したデフォーカス量に基づいて、たとえば、カメラ本体１に対して至近である主要被写体を判別する。
【００４５】
スーパーインポーズ表示制御回路１１０は、ＰＮ液晶６（図１）のマーク群７１を点灯させて、主要被写体（本例では至近被写体）に重なるようにスーパーインポーズ表示させる。人物の「顔」がエリアフレーム外で検出された場合のＭＰＵ１０１は、上記マーク群７１に対応する一対のデフォーカス量検出用光束を用いてフォーカス調節を行う。光学像２０３の下部には、エリアフレーム６３の外側で「顔」を検出したことを知らせるため、点滅した顔マーク８１を含む表示２０１がファインダー内液晶１３によって行われる。なお、ファインダー内バックライト１４（図１）を所定時間点灯させることにより、ユーザが表示２０１を所定時間観察できるようにする点は上述した通りである。
【００４６】
＜人物の顔が検出されない場合＞
ステップＳ５において、ＭＰＵ１０１は、測距処理と測光処理とを行ってステップＳ６へ進む。ステップＳ５では、顔マークを消灯させたままで露出制御値などの表示２０１を行うようにファインダー内液晶１３（図１）を制御するとともに、ファインダー内バックライト１４（図１）を所定時間点灯させることによってユーザが表示２０１を所定時間観察できるようにする。
【００４７】
図８は、この場合に接眼レンズ群８から観察される観察像を例示する図である。ＭＰＵ１０１は、スーパーインポーズ表示制御回路１１０へ指示を送り、判別した主要被写体と重なるマーク群７１のみを点灯するようにＰＮ液晶６（図１）を制御させる。被写体判別は、人物の「顔」がエリアフレーム外で検出された場合と同様である。人物の「顔」が検出されない場合のＭＰＵ１０１は、上記マーク群７１に対応する一対のデフォーカス量検出用光束を用いてフォーカス調節を行う。
【００４８】
測光処理はステップＳ４の場合と同様に行い、ファインダー内表示制御回路１０９が測光処理演算の結果を表示２０１による表示内容に反映させる点もステップＳ４の場合と同様である。
【００４９】
ステップＳ６において、ＭＰＵ１０１は、全押しスイッチＳＷ２がオンされたか否かを判定する。ＭＰＵ１０１は、全押しスイッチＳＷ２からオン操作信号が入力された場合にステップＳ６を肯定判定してステップＳ７へ進む。ＭＰＵ１０１は、全押しスイッチＳＷ２からオン操作信号が入力されない場合には、ステップＳ６を否定判定してステップＳ８へ進む。
【００５０】
ステップＳ８において、ＭＰＵ１０１は、半押しスイッチＳＷ１がオンされているか否かを判定する。ＭＰＵ１０１は、半押しスイッチＳＷ１から継続してオン操作信号が入力されている場合にステップＳ８を肯定判定してステップＳ１３へ進む。ＭＰＵ１０１は、半押しスイッチＳＷ１からオン操作信号が入力されていない場合には、ステップＳ８を否定判定して図５による処理を終了する。
【００５１】
ステップＳ１３において、ＭＰＵ１０１はＡＦサーボ設定内容を判定する。ＭＰＵ１０１は、ＡＦサーボとしてＡＦ−Ｃモードが設定されている場合にステップＳ１３を肯定判定してステップＳ３へ戻る。ＡＦ−Ｃモードは、フォーカス調節処理を繰り返し行うモードである。一方ＭＰＵ１０１は、ＡＦサーボとしてＡＦ−Ｓモードが設定されている場合にステップＳ１３を否定判定してステップＳ６へ戻る。ＡＦ−Ｓモードは、たとえばフォーカス調節処理を１回のみ行い、そのフォーカス調節状態を保持する（ＡＦロック）モードである。ＡＦサーボの選択は、ユーザによる設定操作部材１１９の操作によって行われる。
【００５２】
上述したステップＳ６を肯定判定して進むステップＳ７において、ＭＰＵ１０１は、ミラー駆動部（不図示）へ指示を送り、メインミラー４のアップ駆動を開始させるとともに、絞り制御部１１４へ指示を送り、絞り３（図１）の絞り込み駆動を開始させてステップＳ９へ進む。
【００５３】
ステップＳ９において、ＭＰＵ１０１はシャッター制御部１１３へ指示を送り、シャッター１８の開閉制御を開始させてステップＳ１０へ進む。これにより、シャッター１８の先幕走行が始まる。ステップＳ１０において、ＭＰＵ１０１は、撮像素子２０を初期化（電荷排出など）後、撮影用の露光、電荷蓄積を行わせてステップＳ１１へ進む。
【００５４】
シャッター１８の後幕走行が終了したステップＳ１１において、ＭＰＵ１０１はミラー駆動部（不図示）へ指示を送り、メインミラー４のダウン駆動を開始させるとともに、撮像素子２０から蓄積電荷の掃き出し（画像信号読み出し）をさせてステップＳ１２へ進む。
【００５５】
ステップＳ１２において、ＭＰＵ１０１はシャッター制御部１１３へ指示を送り、シャッターチャージさせて図５による処理を終了し、次の撮影シーケンスに備える。ステップＳ１１において読み出した画像信号は、画像処理制御回路１０５によって所定の画像処理を行い、画像ファイルとして画像用記録媒体１０７に記録される。
【００５６】
＜複数人物の顔がエリアフレーム内で検出された場合＞
ＭＰＵ１０１は、上記ステップＳ３において複数の人物の「顔」がエリアフレーム内で検出された場合は、以下のように制御を行う。図９は、この場合の顔表示処理時に接眼レンズ群８から観察される観察像を例示する図である。図９において、スーパーインポーズ表示制御回路１１０は、ＰＮ液晶６（図１）のマーク群６２ａおよび６２ｂをそれぞれ点灯させて、人物の「顔」に重なるようにスーパーインポーズ表示させる。
【００５７】
光学像２０３において、向かって右側の人物の方がカメラ本体１に近い。ＭＰＵ１０１は、マーク群６２ａおよび６２ｂが示すフォーカスポイントのそれぞれに対応する一対のデフォーカス量検出用光束を用いてデフォーカス量を検出し、検出したデフォーカス量に基づいて、カメラ本体１に対して至近である人物を判別し、至近人物の「顔」に重ねるマーク群６２ａを、他の人物の「顔」に重ねるマーク群６２ｂと異なる態様でスーパーインポーズ表示させる。たとえば、マークの点灯色を異ならせたり、マークの点灯輝度を異ならせることにより、至近人物の「顔」に重ねるマーク群６２ａをマーク群６２ｂより目立たせる。
【００５８】
この場合のＭＰＵ１０１は、上記マーク群６２ａに対応する一対のデフォーカス量検出用光束を用いてフォーカス調節を行う。光学像２０３の下部には、「顔」を検出したことを知らせるため、点灯した顔マーク６１を含む表示２０１がファインダー内液晶１３によって行われる。
【００５９】
以上説明した実施形態によれば、次の作用効果が得られる。
（１）カメラ本体１は、鏡筒２のレンズ光学系ＬＳによるデフォーカス量を取得する焦点調節情報取得手段（ＭＰＵ１０１、焦点検出用センサ１６）と、焦点調節情報取得手段（ＭＰＵ１０１、焦点検出用センサ１６）がデフォーカス量の取得に用いたフォーカスポイントを示す表示を、ファインダー部による観察像に重ねて行うＰＮ液晶６と、被写体像を取得するサブイメージセンサ１１と、サブイメージセンサ１１で取得された画像データに基づいて被写体像における主要被写体を検出する被写体検出手段（サブイメージセンサ回路１１１、ＭＰＵ１０１）と、被写体検出手段（サブイメージセンサ回路１１１、ＭＰＵ１０１）によって検出された主要被写体の位置を示す表示を、観察像に重ねて行うようにＰＮ液晶６を制御するスーパーインポーズ表示制御回路１１０とを備えるようにした。これにより、光学ファインダーの観察者に、検出されている主要被写体の位置を知らせることができる。フォーカスポイントを示す表示を行うＰＮ液晶６を用いて行うので、主要被写体の位置を示す表示のために、新たな専用表示器を設けなくてもよい。
【００６０】
（２）焦点調節情報取得手段がデフォーカス量を取得するポイントを撮影画面内に５１個備え、５１個のポイントに対応させて５１個の表示素子（マーク群２０２）をＰＮ液晶６に備えた。５１個の表示素子のうち被写体検出手段によって検出された主要被写体に対応する表示素子（マーク群６２、６２ａ、６２ｂ、７１）のみを用いて表示をさせるので、検出されている主要被写体の位置を、観察像に重ねてわかりやすく知らせることができる。なお、デフォーカス量を取得するポイント数（マーク群２０２を構成する表示素子数）は、５１個に限られない。
【００６１】
（３）スーパーインポーズ表示制御回路１１０は、被写体検出手段によって複数の主要被写体が検出されている場合、焦点調節情報取得手段で取得されたデフォーカス量に基づいて、至近の主要被写体の位置を示す表示と、他の主要被写体の位置を示す表示との表示態様を異ならせるようにＰＮ液晶６を制御した。これにより、至近の主要被写体であることを、観察像に重ねてわかりやすく知らせることができる。
【００６２】
（４）被写体検出手段（サブイメージセンサ回路１１１）は、画像データに基づいて被写体像における人物の顔を検出することもできる。被写体検出手段によって人物の顔が検出されたことを知らせるファインダー内液晶１３を備えたので、観察像カメラ本体１が顔検出したか否かについて、光学的な観察像とともに知らせることができる。
【００６３】
（５）ファインダー内液晶１３は、被写体検出手段によって検出された人物の顔の位置が、焦点調節情報取得手段でデフォーカス量を取得する領域と合致する場合と合致しない場合とで報知態様を異ならせたので、撮影者に対し、検出されている人物の顔がピント合わせの対象になるか否かを知らせることができる。
【００６４】
（６）記録用の撮像手段２０と異なるサブイメージセンサ１１で取得された画像データに基づいて被写体像における主要被写体を検出するようにしたので、一眼レフタイプのカメラでミラーアップ前にファインダーを観察する観察者に、検出されている主要被写体の位置を知らせることができる。
【００６５】
（変形例１）
シングルポイントＡＦモード時、およびダイナミックＡＦモード時においても、それぞれファインダー内液晶１３によって顔マーク６１を表示させてよい。ＭＰＵ１０１は、それぞれのＡＦモード処理を行うとともに、サブイメージセンサ１１で取得された画像データに基づく顔検出処理をサブイメージセンサ回路１１１に行わせる。ＭＰＵ１０１は、サブイメージセンサ回路１１１によって画像内に含まれる人物の「顔」がエリアフレーム６３の内側で検出された場合は顔マーク６１を点灯表示させ、人物の「顔」がエリアフレーム６３の外側で検出された場合には顔マーク６１を点滅表示させる。
【００６６】
（変形例２）
マーク群６２（６２ａ、６２ｂ）の表示輝度は、以下のように制御してもよい。ＡＦサーボとしてＡＦ−Ｓモードが設定されている場合は、マーク群６２（６２ａ、６２ｂ）の表示輝度を徐々に下げる。フォーカス調節処理を１回のみ行うモードでは、顔検出および測距処理を１回のみ行うようにしたので（ステップＳ１３を否定判定）、表示輝度を徐々に下げることにより、表示輝度を下げない場合に比べてマーク群６２（６２ａ、６２ｂ）が重ね表示されている被写体人物の「顔」を見やすくすることができる。なお、マーク群６２（６２ａ、６２ｂ）の表示輝度を徐々に下げる代わりに、点灯時から所定時間経過後に消灯させてもよい。
【００６７】
一方、ＡＦサーボとしてＡＦ−Ｃモードが設定されている場合は、マーク群６２（６２ａ、６２ｂ）を継続して表示させる。ＡＦ−Ｃモードでは、５１個のフォーカスポイントが存在する領域から主要被写体を自動判別し、画面の中で主要被写体が移動する場合は移動後の主要被写体に重ねるようにマーク群６２（６２ａ、６２ｂ）の表示位置を移動させている。表示を継続させることで、どの被写体を自動判別しているかを確実に知らせることができる。
【００６８】
（変形例３）
サブイメージセンサ回路１１１によって画像内に含まれる人物の「顔」が検出されたことをファインダー内液晶１３による顔マーク６１表示で知らせるようにしたが、ＰＮ液晶６による表示で知らせるように構成してもよい。図１０は、この場合に接眼レンズ群８から観察される観察像を例示する図である。図１０において、光学像２０３に重ねて、顔マーク６４がＰＮ液晶６によってスーパーインポーズ表示される。
【００６９】
サブイメージセンサ回路１１１によって画像内に含まれる人物の「顔」がエリアフレーム６３の内側で検出された場合は顔マーク６４を点灯表示させ、人物の「顔」がエリアフレーム６３の外側で検出された場合には顔マーク６４を点滅表示させる。
【００７０】
（変形例４）
サブイメージセンサ回路１１１によって画像内に含まれる人物の「顔」が検出されたことを、電子音で知らせるように構成してもよい。サブイメージセンサ回路１１１によって画像内に含まれる人物の「顔」がエリアフレーム６３の内側で検出された場合、人物の「顔」がエリアフレーム６３の外側で検出された場合、および人物の「顔」が検出されなかった場合でそれぞれ電子音を異ならせることで、顔マーク用の表示素子を備えていないカメラでも顔検出結果を知らせることが可能になる。
【００７１】
（変形例５）
電子カメラを例に説明したが、光学式ファインダーを備えるカメラ、あるいは光学式ファインダーを装着可能なカメラであれば、フィルムカメラの場合にも本発明を適用して構わない。
【００７２】
以上の説明はあくまで一例であり、上記の実施形態の構成に何ら限定されるものではない。
【図面の簡単な説明】
【００７３】
【図１】本発明の一実施の形態による一眼レフ電子カメラシステムの構成を説明する図である。
【図２】接眼レンズ群から観察される観察像を例示する図である。
【図３】カメラ本体の回路構成を説明するブロックである。
【図４】メニュー画面の一例を示す図である。
【図５】ＭＰＵが行う撮影処理の流れを例示するフローチャートである。
【図６】接眼レンズ群８から観察される観察像を例示する図である。
【図７】接眼レンズ群８から観察される観察像を例示する図である。
【図８】接眼レンズ群８から観察される観察像を例示する図である。
【図９】接眼レンズ群８から観察される観察像を例示する図である。
【図１０】接眼レンズ群８から観察される観察像を例示する図である。
【符号の説明】
【００７４】
１…カメラ本体
２…鏡筒
６…ＰＮ液晶
８…接眼レンズ群
１１…サブイメージセンサ
１３…ファインダー内液晶
１６…焦点検出用センサ
２０…撮像素子
１０１…ＭＰＵ
１１０…スーパーインポーズ表示制御回路
１１１…サブイメージセンサ回路
ＬＳ…レンズ光学系
【図１】
2010054921.tif 000003
【図２】
2010054921.tif 000004
【図３】
2010054921.tif 000005
【図４】
2010054921.tif 000006
【図５】
2010054921.tif 000007
【図６】
2010054921.tif 000008
【図７】
2010054921.tif 000009
【図８】
2010054921.tif 000010
【図９】
2010054921.tif 000011
【図１０】
2010054921.tif 000012